(57)【要約】【課題】  可動レンズを駆動する際に摩擦損失が発生せず、かつ、小型化を図ることのできるレンズ駆動装置を提供すること。【解決手段】  レンズ駆動装置１は、可動レンズ２と、この可動レンズ２の周りに配置されて可動レンズ２と一体に変位可能な第１の磁石３と、この第１の磁石３に対向配置されて第１の磁石３との間に発生する磁力により可動レンズ２を浮上した状態に保持する第２の磁石４ａ〜４ｄと、第１の磁石３に対向配置されて第１の磁石３との間に発生する磁力により可動レンズ２を変位させる電磁石５ａ〜５ｄとを有している。【選択図】  図１
2006323295.tif 000002
【特許請求の範囲】
【請求項１】
可動レンズと、該可動レンズの周りに配置されて当該可動レンズと一体に変位可能な第１の磁石と、該第１の磁石に対向配置されて当該第１の磁石との間に発生する磁力により前記可動レンズを浮上した状態に保持する第２の磁石と、前記第１の磁石に対向配置されて当該第１の磁石との間に発生する磁力により前記可動レンズを変位させる電磁石とを有することを特徴とするレンズ駆動装置。
【請求項２】
請求項１において、前記第１の磁石は、内周側と外周側とに異なる磁極を向けた永久磁石であり、
前記第２の磁石は、前記第１の磁石の外周側および光軸方向の両側の三方に対向する凹面を備えた永久磁石であり、前記第１の磁石の外周側に対向する側に当該第１の磁石の外周側と同極が形成されて前記第１の磁石との間に発生する磁気的斥力により前記可動レンズを浮上した状態に保持することを特徴とするレンズ駆動装置。
【請求項３】
請求項１または２において、前記第２の磁石および前記電磁石は各々、前記可動レンズの周りに複数配置されていることを特徴とするレンズ駆動装置。
【請求項４】
請求項３において、前記第２の磁石同士、および前記電磁石同士は各々、前記可動レンズの光軸中心に対して点対称、又は等角度間隔に配置されていることを特徴とするレンズ駆動装置。
【請求項５】
請求項３または４において、前記複数の電磁石には、通電時に、前記第１の磁石に対して光軸方向の一方側に向かう引力と他方側に向かう斥力を同時に作用させる電磁石が含まれていることを特徴とするレンズ駆動装置。
【請求項６】
請求項３ないし５のいずれかにおいて、前記複数の電磁石には、通電時に、前記第１の磁石に対して光軸方向に直交する方向の引力および斥力のうちの一方の磁力を作用させる電磁石が含まれていることを特徴とするレンズ駆動装置。
【請求項７】
請求項３ないし６のいずれかにおいて、前記複数の電磁石には、前記第１の磁石の光軸方向の中心から光軸方向の一方側および他方側のいずれか一方にずれた位置にヨークを備えた電磁石が含まれていることを特徴とするレンズ駆動装置。
【請求項８】
請求項１ないし７のいずれかにおいて、前記可動レンズは、筒状のレンズ保持体の内側に保持され、
当該レンズ保持体の外周面に前記第１の磁石が取り付けられていることを特徴とするレンズ駆動装置。
【発明の詳細な説明】
【技術分野】
【０００１】
本発明は、撮像装置等の光学機器に搭載されるレンズ駆動装置に関するものである。
【背景技術】
【０００２】
撮像装置などに搭載されるレンズ駆動装置では、可動レンズを機械的に保持した状態でステッピングモーター等の駆動装置により可動レンズを変位させる構成が採用されている（例えば、特許文献１参照）。
【特許文献１】特開平７−１５１９４７号公報
【発明の開示】
【発明が解決しようとする課題】
【０００３】
しかしながら、従来のレンズ駆動装置では、可動レンズを変位可能に機械的に保持する必要があり、このような機構は複雑であるため、レンズ駆動装置が大型化してしまうという問題点がある。また、可動レンズを機械的に保持すると、移動方向や移動範囲が制約されるため、レンズを様々な方向に駆動しようとすると、上記の問題点はより顕著となる。さらに、従来のレンズ駆動装置では、可動レンズを駆動した際、摩擦損失が発生することを避けることができないという問題点がある。
【０００４】
以上の問題点に鑑みて、本発明の課題は、可動レンズを駆動する際に摩擦損失が発生せず、かつ、小型化を図ることのできるレンズ駆動装置を提供することにある。
【課題を解決するための手段】
【０００５】
上記課題を解決するために、本発明に係るレンズ駆動装置では、可動レンズと、該可動レンズの周りに配置されて当該可動レンズと一体に変位可能な第１の磁石と、該第１の磁石に対向配置されて当該第１の磁石との間に発生する磁力により前記可動レンズを浮上した状態に保持する第２の磁石と、前記第１の磁石に対向配置されて当該第１の磁石との間に発生する磁力により前記可動レンズを変位させる電磁石とを有することを特徴とする。
【０００６】
本発明に係るレンズ駆動装置では、第１の磁石と第２の磁石との間に作用する磁力によって可動レンズを浮上した状態に保持しているため、この状態で電磁石に通電すると、第１の磁石と電磁石との間に発生する磁力により、可動レンズが変位する。従って、励磁を制御して、可動レンズを光軸に沿って駆動する場合、可動レンズを傾かせる場合、あるいは可動レンズを光軸に直交する方向に駆動する場合でも、可動レンズを変位可能に機械的に保持する必要がない。従って、レンズ駆動装置の小型化を図ることができる。また、可動レンズは、磁力により浮上した状態にあるため、可動レンズを駆動した際に摩擦損失が生じない。
【０００７】
本発明において、前記第１の磁石は、内周側と外周側とに異なる磁極を向けた永久磁石であり、前記第２の磁石は、前記第１の磁石の外周側および光軸方向の両側の三方に対向する凹面を備えた永久磁石であり、前記第１の磁石の外周側に対向する側に当該第１の磁石の外周側と同極が形成されて前記第１の磁石との間に発生する磁気的斥力により前記可動レンズを浮上した状態に保持することが好ましい。
【０００８】
本発明において、前記第２の磁石および前記電磁石は各々、前記可動レンズの周りに複数配置されていることが好ましい。このように構成すると、可動レンズを安定した姿勢で保持でき、かつ、安定した状態で駆動することができる。
【０００９】
本発明において、前記第２の磁石同士、および前記電磁石同士は各々、前記可動レンズの光軸中心に対して点対称又は、等角度間隔に配置されていることが好ましい。このように構成すると、可動レンズをより安定した姿勢で保持でき、かつ、より安定した状態で駆動することができる。
【００１０】
本発明において、前記複数の電磁石には、通電時に、前記第１の磁石に対して光軸方向の一方側に向かう引力と他方側に向かう斥力を同時に作用させる電磁石が含まれている構成を採用することができる。このように構成すると、電磁石は可動レンズに対して光軸方向の力を作用させることができるので、励磁を制御することにより可動レンズの光軸方向における位置調整や可動レンズの傾き調整を行うことができる。
【００１１】
本発明において、前記複数の電磁石には、通電時に、前記第１の磁石に対して光軸方向に直交する方向の引力および斥力のうちの一方の磁力を作用させる電磁石が含まれている構成を採用することができる。このように構成すると、可動レンズを光軸に対して直交する方向に駆動することができる。
【００１２】
本発明において、前記複数の電磁石には、前記第１の磁石の光軸方向の中心から光軸方向の一方側および他方側のいずれか一方にずれた位置にヨークを備えた電磁石が含まれていることが好ましい。このように構成すると、電磁石への通電を停止した状態において、ヨークと第１の磁石との間には光軸方向の一方側あるいは他方側に向かう引力が作用するため、可動レンズを原点位置に安定して保持することができる。
【００１３】
本発明において、前記可動レンズは、例えば、筒状のレンズ保持体の内側に保持される場合があり、この場合、当該レンズ保持体の外周面に前記第１の磁石が取り付けられる。また、レンズ保持体の内側において、可動レンズの外周側に第１の磁石を取り付けることもある。
【発明の効果】
【００１４】
本形態のレンズ駆動装置では、可動レンズを磁気により浮上させているため、可動レンズを駆動する際に摩擦損失が生じない。従って、可動レンズを再現性よく、滑らかに動作させることができるため、可動レンズの焦点合わせやズーミングを確実かつスムーズに行うことができる。また、撮像装置の手振れなどを確実かつスムーズに防止することができる。しかも、摩擦が生じないため、摩擦による部材の磨耗、レンズや撮像素子の汚れの一因となる塵の発生を防止でき、かつ、摩擦音などの発生を防止できるので、明瞭な録音を行うことを妨害しない。さらに、可動レンズを機械的に保持する必要がないため、部品点数を削減でき、かつ、可動レンズを様々な方向に駆動する場合でも、構成の簡素化を図ることができる。それ故、レンズ駆動装置の小型化および低コスト化を図ることができる。加えて、駆動に必要な電力の低減や、動作速度の向上が可能となる。
【発明を実施するための最良の形態】
【００１５】
図面を参照して、本発明を適用したレンズ駆動装置について説明する。
【００１６】
［実施の形態１］
（全体構成）
図１（ａ）、（ｂ）は、本発明の実施の形態１に係るレンズ駆動装置の要部の構成を模式的に示す平面図およびＡ−Ａ′断面図である。
【００１７】
図１（ａ）、（ｂ）に示すように、本形態のレンズ駆動装置１は、可動レンズ２と、可動レンズ２の周りに取り付けられて可動レンズ２と一体に変位可能な環状の第１の磁石３と、第１の磁石３に対して外側で対向する４つの第２の磁石４ａ〜４ｄと、第１の磁石３に対して外側で対向する４つの電磁石５ａ〜５ｄとを有している。
【００１８】
第１の磁石３は、内周側と外周側とに異なる磁極を向けた永久磁石からなり、本形態では、内周側がＳ極に着磁され、外周側がＮ極に着磁されている。第１の磁石３において、その外周面は、光軸方向Ｌにおける中央が張り出した円弧面で構成され、その中心に磁力が集中する構造になっている。
【００１９】
第２の磁石４ａ〜４ｄは、可動レンズ２の周りに等角度間隔に配置された永久磁石であり、第１の磁石３との間に発生する磁力により可動レンズ２を浮上した状態に保持する機能を担っている。すなわち、第２の磁石４ａ〜４ｄはいずれも、第１の磁石３と対向する端部と反対側の端部が異なる極に着磁され、本形態では、第１の磁石３の着磁方向に対応して、第１の磁石３と対向する端部がＮ極に着磁され、反対側の端部がＳ極に着磁されている。
【００２０】
第２の磁石４ａ〜４ｄにおいて、第１の磁石３と対向する端部は、第１の磁石３の外周側および光軸方向Ｌの両側の三方に対向する凹面４１を備えている。このため、第２の永久磁石４ａ〜４ｄでは、凹面４１の中央部の着磁が弱く、両端部の着磁が強いので、可動レンズ２は凹面の中央部近傍でより安定して磁気浮上することになる。
【００２１】
電磁石５ａ〜５ｂは、可動レンズ２の周りに等角度間隔に配置され、電磁石５ａ〜５ｂと第２の磁石４ａ〜４ｄとは交互に配置されている。電磁石５ａ〜５ｂは、第１の磁石３に開口を向けた断面コの字形状のヨーク５１と、ヨーク５１の腕部５１１、５１２のうちの一方に巻回されたコイル５２とから構成され、４つの電磁石５ａ〜５ｂの各コイルには、制御回路（図示せず）から各々、所定の電流が供給されるように構成されている。ここで、ヨーク５１の腕部５１１、５１２の先端は、第１の磁石３を光軸方向Ｌの両側から挟む位置にある。
【００２２】
（動作）
本形態のレンズ駆動装置１において、４つの電磁石５ａ〜５ｄのいずれにも通電しない状態では、第１の磁石３と第２の磁石４ａ〜４ｄとの間に発生する磁気的な斥力により可動レンズ２が原点位置で浮上した状態に保持される。
【００２３】
この状態から、例えば、可動レンズ２を光軸方向Ｌの一方側（矢印Ｌ１で示す方向）に駆動する場合、制御回路は、４つの電磁石５ａ〜５ｄのいずれにおいても、矢印Ｌ１で示す側に位置するヨーク５１の腕部５１１の先端部がＳ極となり、その反対側（矢印Ｌ２で示す側）に位置する腕部５１２の先端部がＮ極となるようにコイル５２に通電する。その結果、４つの電磁石５ａ〜５ｄのいずれにおいても、腕部５１１の先端部は、第１の磁石３に対して光軸方向Ｌの一方側に向かう引力を発生させ、腕部５１２の先端部は、第１の磁石３に対して光軸方向Ｌの一方側に向かう斥力を発生させる。それ故、可動レンズ２は、磁気的に浮上したまま光軸方向Ｌの一方側（矢印Ｌ１で示す方向）に移動する。
【００２４】
上記動作とは反対に、制御回路が、４つの電磁石５ａ〜５ｄのいずれにおいても、矢印Ｌ１で示す側に位置するヨーク４１の腕部５１１の先端部がＮ極となり、その反対側（矢印Ｌ２で示す側）に位置する腕部５１２の先端部がＳ極となるようにコイル５２に通電すると、４つの電磁石５ａ〜５ｄのいずれにおいても、腕部５１１の先端部は、第１の磁石３に対して光軸方向Ｌの他方側（矢印Ｌ２で示す方向）向かう斥力を発生させ、腕部５１２の先端部は、第１の磁石３に対して光軸方向Ｌの他方側に向かう引力を発生させる。それ故、可動レンズ２は、磁気的に浮上したまま光軸方向Ｌの他方側（矢印Ｌ２で示す方向）に移動する。
【００２５】
さらに、制御回路が、４つの電磁石５ａ〜５ｄのうち、隣り合う２つの電磁石５ａ、５ｂおいて、矢印Ｌ１で示す側に位置するヨーク５１の腕部５１１の先端部がＳ極となり、その反対側（矢印Ｌ２で示す側）に位置する腕部５１２の先端部がＮ極となるように電磁石５ａ、５ｂのコイル５２に通電し、他の２つの電磁石５ｃ、５ｄおいて、矢印Ｌ１で示す側に位置するヨーク５１の腕部５１１の先端部がＮ極になり、その反対側（矢印Ｌ２で示す側）に位置する腕部５１２の先端部がＳ極となるように電磁石５ｃ、５ｄのコイル５２に通電すると、電磁石５ａ、５ｂは、第１の磁石３に対して光軸方向Ｌの一方側（矢印Ｌ１で示す方向）に向かう磁力を発生させ、電磁石５ｃ、５ｄは、第１の磁石３に対して光軸方向Ｌの他方側（矢印Ｌ２で示す方向）に向かう磁力を発生させる。それ故、可動レンズ２は、磁気的に浮上したまま傾くことになる。
【００２６】
さらにまた、制御回路が、４つの電磁石５ａ〜５ｄに各コイル５２に対して所定の割合で按分した電流を供給すると、可動レンズ２を任意の方向に傾けることができる。また、このような可動レンズ２のチルト駆動と光軸方向Ｌへの移動とを同時に行うこともできる。
【００２７】
（本形態の主な効果）
以上説明したように、本形態のレンズ駆動装置１では、可動レンズ２を磁気により浮上させているため、可動レンズ２を駆動する際に摩擦損失が生じない。従って、可動レンズ２を再現性よく、滑らかに動作させることができるため、可動レンズ２の焦点合わせや傾き調整を確実かつスムーズに行うことができる。また、撮像装置の手振れなどを確実かつスムーズに防止することができる。しかも、本形態のレンズ駆動装置１では、可動レンズ２を駆動する際、摩擦が生じないため、摩擦による部材の磨耗、レンズや撮像素子の汚れの一因となる塵の発生を防止でき、かつ、摩擦音などの発生を防止できるので、明瞭な録音を行うことができる。さらに、可動レンズ２を機械的に保持する必要がないため、部品点数を削減でき、かつ、可動レンズ２を様々な方向に駆動する場合でも、構成の簡素化を図ることができる。それ故、レンズ駆動装置１の小型化および低コスト化を図ることができる。加えて、駆動に必要な電力の低減や、動作速度の向上が可能となる。
【００２８】
また、本形態において、第２の磁石４ａ〜４ｄ、および電磁石５ａ〜５ｄは各々、可動レンズ２の周りに複数配置されている。しかも、第２の磁石４ａ〜４ｄ同士、および電磁石５ａ〜５ｄは各々、可動レンズ２の光軸中心に対して点対称、かつ等角度間隔に配置されている。このため、可動レンズ２をより安定した姿勢で保持でき、かつ、より安定した状態で駆動することができる。
【００２９】
［実施の形態２］
図２（ａ）、（ｂ）、（ｃ）は、本発明の実施の形態２に係るレンズ駆動装置の要部の構成を模式的に示す平面図、Ｂ−Ｂ′断面図、およびＣ−Ｃ′断面図である。なお、本形態の基本的な構成は、実施の形態１と同様であるため、共通する部分については同一の符号を付して図示することにし、それらの詳細な説明は省略する。
【００３０】
図２（ａ）、（ｂ）、（ｃ）に示すように、本形態のレンズ駆動装置１は、可動レンズ２と、可動レンズ２の周りに取り付けられて可動レンズ２と一体に変位可能な環状の第１の磁石３と、第１の磁石３に対して外側で対向する４つの第２の磁石４ａ〜４ｄと、第１の磁石３に対して外側で対向する８つの電磁石５ａ〜５ｈとを有している。
【００３１】
第１の磁石３は、実施の形態１と同様、内周側がＳ極に着磁され、外周側がＮ極に着磁された永久磁石から構成されている。第１の磁石３において、その外周面は、光軸方向Ｌにおける中央が張り出した円弧面で構成され、その中心に着磁が集中する構造になっている。
【００３２】
第２の磁石４ａ〜４ｄは、第１の磁石３との間に発生する磁力により可動レンズ２を浮上した状態に保持するための永久磁石であり、本形態では、第１の磁石３の着磁方向に対応して、第１の磁石３と対向する端部がＮ極に着磁され、反対側の端部がＳ極に着磁されている。第２の磁石４ａ〜４ｄにおいて、第１の磁石３と対向する端部は、第１の磁石３の外周側および光軸方向Ｌの両側の三方に対向する凹面４１を備えている。
【００３３】
８つの電磁石５ａ〜５ｈのうち、４つの電磁石５ａ〜５ｄは、実施の形態１と同様、可動レンズ２の周りに等角度間隔に配置され、電磁石５ａ〜５ｂと第２の磁石４ａ〜４ｄとは交互に配置されている。電磁石５ａ〜５ｂは、第１の磁石３に開口を向けた断面コの字形状のヨーク５１と、ヨーク５１の腕部５１１、５１２のうちの一方に巻回されたコイル５２とから構成され、４つの電磁石５ａ〜５ｂの各コイル５２には、制御回路（図示せず）から各々、所定の電流が供給されるように構成されている。
【００３４】
ここで、４つの電磁石５ａ〜５ｄでは、第１の磁石３の光軸方向の中心から光軸方向の一方側（矢印Ｌ１で示す方向）に寸法Ｇだけずれた位置にヨーク５１が配置されている。このため、ヨーク５１の腕部５１２と第１の磁石３との距離は、ヨーク５１の腕部５１１と第１の磁石３との距離よりも短い。従って、コイル５２への通電を停止した状態において、ヨーク５１の腕部５１２と第１の磁石３との間に作用する引力は、ヨーク５１の腕部５１１と第１の磁石３との間に作用する引力よりも大きいので、第１の磁石３の光軸方向の他方側（矢印Ｌ２で示す方向）に向かう力が作用している。
【００３５】
本形態において、残り４つの電磁石５ｅ〜５ｈは、可動レンズ２の周りに等角度間隔に配置され、電磁石５ａ〜５ｂ、電磁石５ｅ〜５ｈ、および第２の磁石４ａ〜４ｄは交互に配置されている。
【００３６】
ここで、電磁石５ｅ〜５ｈは、第１の磁石３に一方の端部を向けた板状のヨーク５５と、ヨーク５５に巻回されたコイル５６とから構成され、電磁石５ｅ〜５ｈの各コイル５６にも、制御回路（図示せず）から各々、所定の電流が供給されるように構成されている。
【００３７】
このように構成したレンズ駆動装置１においても、８つの電磁石５ａ〜５ｈのいずれにも通電しない状態では、第１の磁石３と第２の磁石４ａ〜４ｄとの間に発生する磁気的な斥力により可動レンズ２が原点位置で浮上した状態に保持される。
【００３８】
この状態から、可動レンズ２を光軸方向Ｌに駆動する際の動作、および可動レンズ２を傾かせる際の動作は、実施の形態１と同様であるため、説明を省略するが、本形態では、制御回路（図示せず）から電磁石５ｅ〜５ｈに所定の電流を供給すれば、可動レンズ２を光軸方向Ｌに直交する方向（矢印Ｌ３で示す方向）に駆動することができる。
【００３９】
例えば、制御回路が、４つの電磁石５ｅ〜５ｈのうち、隣り合う２つの電磁石５ｅ、５ｆおいて、ヨーク５５の第１の磁石３に近接する方の端部がＳ極、その反対側に位置する端部がＮ極となるように電磁石５ｅ、５ｆのコイル５６に通電し、他の２つの電磁石５ｇ、５ｈにおいて、ヨーク５５の第１の磁石３に近接する方の端部がＮ極、その反対側に位置する端部がＳ極となるように電磁石５ｅ、５ｆのコイル５６に通電すると、電磁石５ａ、５ｂは、第１の磁石３に対して光軸方向Ｌに対して直交する方向の引力を発生させ、電磁石５ｇ、５ｈは、第１の磁石３に対して光軸方向Ｌに対して直交する方向の斥力を発生させる。それ故、可動レンズ２は、磁気的に浮上したまま、光軸方向Ｌに対して直交する方向に移動することになる。
【００４０】
ここで、制御回路が、４つの電磁石５ｅ〜５ｈの各コイル５２に対して、所定の割合で按分した電流を供給すると、光軸方向Ｌに対して直交する方向の任意の方向に可動レンズ２を移動させることができる。また、このような可動レンズ２の駆動は、光軸方向Ｌへの移動やチルト駆動と同時に行うこともできる。
【００４１】
このように、本形態のレンズ駆動装置１では、実施の形態１で説明した動作に加えて、可動レンズ２を光軸方向Ｌに対して直交する方向にも駆動でき、その際も、可動レンズ２を磁気により浮上させているため、可動レンズ２を駆動する際に摩擦損失が生じないなど、実施の形態１と同様な効果を奏する。
【００４２】
また、本形態において、第２の磁石４ａ〜４ｄ、電磁石５ａ〜５ｄ、および電磁石５ｅ〜５ｈは各々、可動レンズ２の周りに複数配置されている。しかも、第２の磁石４ａ〜４ｄ同士、電磁石５ａ〜５ｄ、および電磁石同士５ｅ〜５ｈは各々、可動レンズ２の光軸中心に対して点対称、かつ、等角度間隔に配置されている。このため、可動レンズ２をより安定した姿勢で保持でき、かつ、より安定した状態で駆動することができる。
【００４３】
また、本形態において、４つの電磁石５ａ〜５ｄでは、第１の磁石３の光軸方向の中心から光軸方向の一方側（矢印Ｌ１で示す方向）にずれた位置にヨーク５１が配置され、コイル５２への通電を停止した状態において、第１の磁石３の光軸方向の他方側（矢印Ｌ２で示す方向）に向かう力が作用している。それ故、可動レンズ２を原点位置に安定して保持することができる。
【００４４】
なお、コイル５２への通電を停止した状態において、ヨーク５２と第１の磁石３との間に作用する引力で可動レンズ２を原点位置に安定に保持するという構成は、４つの電磁石５ａ〜５ｄにおいて、第１の磁石３の光軸方向の中心から光軸方向の他方側（矢印Ｌ２で示す方向）にずれた位置にヨーク５１を配置した場合でも実現できる。また、電磁石５ｅ〜５ｈにおいて、あるいは電磁石５ａ〜５ｄおよび電磁石５ｅ〜５ｈの双方において、このような構成を採用して、コイル５２への通電を停止した状態において、ヨーク５２、５５と第１の磁石３との間に作用する引力で可動レンズ２を原点位置に安定に保持してもよい。
【００４５】
［実施の形態３］
図３（ａ）、（ｂ）、（ｃ）は、本発明のその他の実施の形態に係るレンズ駆動装置の要部の構成を模式的に示す断面図である。
【００４６】
上記実施の形態１、２では、第１の磁石３が可動レンズ２に直接、取り付けられていたが、図３（ａ）に示すように、可動レンズ２が円筒状のレンズ保持体７に保持され、このレンズ保持体７の外周面に第１の磁石３が取り付けられた構成を採用してもよい。この場合には、実施の形態１、２と同様、レンズ保持体７の外側に第２の磁石４および電磁石５が配置されることになる。なお、図３（ａ）には、レンズ保持体７に可動レンズ２が２枚、保持されている構成を示してあり、このように構成すると、２枚の可動レンズ２を同時に駆動することができる。
【００４７】
また、図３（ｂ）に示すように、実施の形態１、２と同様、第１の磁石３が可動レンズ２に直接、取り付けられている一方、その周りには、他のレンズ８を保持する円筒状のレンズ保持体７が配置され、このレンズ保持体７の内側に第２の磁石４および電磁石５が保持されている構成を採用してもよい。このように構成すると、他の駆動装置によって、レンズ保持体７に保持されたレンズ８を光軸方向Ｌに駆動する際、可動レンズ３も同時に光軸方向Ｌに駆動でき、かつ、電磁石５への給電により、レンズ８とは独立して可動レンズ３を駆動することもできる。
【００４８】
さらに、図３（ｃ）に示すように、実施の形態１、２と同様、第１の磁石３が可動レンズ２に直接、取り付けられ、かつ、その外側に第２の磁石４および電磁石５が配置されている場合に、可動レンズ３に対して光軸方向の一方側に、別のレンズ８を保持した筒状のレンズ保持体７を配置してもよい。このように構成すると、他の駆動装置によって、レンズ保持体７に保持されたレンズ８を光軸方向Ｌに駆動できるとともに、電磁石５への給電により、レンズ８とは独立して可動レンズ３を駆動することもできる。
【００４９】
なお、上記形態では、第２の磁石４を永久磁石で構成したが、電磁石で構成してもよい。また、上記形態では、第１の磁石３として環状の永久磁石を用いたが、複数の永久磁石を可動レンズ２の周りに配置して第１の磁石３として利用してもよい。さらに、上記形態では、第２の磁石４を４つとし、電磁石５を４つあるいは８つの例を示したが、その数に限定はなく、可動レンズ２のサイズなどに応じて最適な数の磁石を用いればよい。
【図面の簡単な説明】
【００５０】
【図１】（ａ）、（ｂ）は、本発明の実施の形態１に係るレンズ駆動装置の要部の構成を模式的に示す平面図およびＡ−Ａ′断面図である。
【図２】（ａ）、（ｂ）、（ｃ）は、本発明の実施の形態２に係るレンズ駆動装置の要部の構成を模式的に示す平面図、Ｂ−Ｂ′断面図、およびＣ−Ｃ′断面図である。
【図３】（ａ）、（ｂ）、（ｃ）は、本発明のその他の実施の形態に係るレンズ駆動装置の要部の構成を模式的に示す断面図である。
【符号の説明】
【００５１】
１  レンズ駆動装置
２  可動レンズ
３  第１の磁石
４、４ａ〜４ｄ  第２の磁石
５、５ａ〜５ｈ  電磁石
【図１】
2006323295.tif 000003
【図２】
2006323295.tif 000004
【図３】
2006323295.tif 000005